(57)【要約】【課題】消費電力低減機能を備えていない放送受信装置であっても自己発光型モニタやスピーカ等の消費電力の低減を図ることができる、放送信号変換装置を提供する。【解決手段】本発明の放送信号変換装置は、信号入力部から信号出力部に対して信号を伝送する伝送路の信号通過／遮断を切り替える切替部を備える。また、移動体の検知を行う移動体検知装置を接続する接続部を備える。また、移動体検知装置により移動体検知信号を受け付ける移動体検知部を備える。また、移動体検知信号を受け付けていない状態において、伝送路における信号を遮断するよう切替部を制御する切替制御部を備えている。また、移動体検知信号の受信状態が変化した場合に、変化後の経過時間を計測する時間計測部を備えている。切替制御部は、経過時間が所定時間を超えたことが時間計測部により検知された場合に、伝送路における信号の通過／遮断を切り替えるよう切替部を制御する。【選択図】図１
2011049946.tif 000002
【特許請求の範囲】
【請求項１】
放送信号を入力する信号入力部と、
放送信号を出力する信号出力部と、
前記信号入力部から前記信号出力部に対して放送信号を伝送する伝送路上に設けられ、前記伝送路における放送信号の通過／遮断を切り替える切替部と、
移動体の検知を行う移動体検知装置を接続する接続部と、
前記移動体検知装置により移動体が検知されたことを示す移動体検知信号を、前記接続部を用いて前記移動体検知装置から受け付ける移動体検知部と、
前記移動体検知信号を前記移動体検知部が受け付けていない状態において、前記伝送路における放送信号を遮断するよう前記切替部を制御する切替制御部とを備えること
を特徴とする放送信号変換装置。
【請求項２】
前記移動体検知部による前記移動体検知信号の受信状態が変化した場合に変化後の経過時間を計測する時間計測部を備え、
前記切替制御部が、前記経過時間が予め定められた値を超えたことが前記時間計測部により検知された場合に、前記伝送路における放送信号の通過／遮断を切り替えるよう前記切替部を制御する、
請求項１に記載の放送信号変換装置。
【請求項３】
前記信号入力部が、前記放送信号変換装置に接続されるアンテナよりＲＦ（Radio Frequency）信号を入力し、
前記信号出力部が、前記放送信号変換装置に接続される放送受信装置へＲＦ信号を出力し、
前記切替部が、前記伝送路におけるＲＦ信号の通過／遮断を切り替える、
請求項１に記載の放送信号変換装置。
【請求項４】
前記信号入力部より入力されるＲＦ信号を復調して映像／音声信号を生成する復調部と、
映像／音声信号を変調してＲＦ信号を生成する変調部と、
前記復調部より入力される映像／音声信号から映像／音声データを生成するデコード処理、及び映像／音声データから映像／音声信号を生成して前記変調部へ出力するエンコード処理を行う変換部と、
前記移動体検知信号を前記移動体検知部が受け付けていない状態において、前記復調部より入力される映像／音声信号から生成した映像／音声データを予め定められた映像／音声データに変換し、変換後の映像／音声データから前記映像／音声信号を生成して前記変調部へ出力するよう前記変換部を制御する変換制御部とを備える、
請求項１に記載の放送信号変換装置。
【請求項５】
前記変換制御部が、前記移動体検知信号を前記移動体検知部が受け付けていない状態において、前記復調部より入力される映像／音声信号から生成した映像／音声データを黒画、無音の映像／音声データに変換するよう前記変換部を制御する、
請求項４に記載の放送信号変換装置。
【請求項６】
前記変換部が、前記復調部より入力される映像／音声信号からＭＰＥＧ（Moving Picture Experts Group）方式のＴＳ（Transport Stream）パケットを取得し、
前記変換制御部が、前記移動体検知信号を前記移動体検知部が受け付けていない状態において、前記ＴＳパケットに含まれる映像／音声データを黒画、無音の映像／音声データに変換するよう前記変換部を制御する、
請求項４に記載の放送信号変換装置。
【請求項７】
前記移動体検知部による前記移動体検知信号の受信状態が変化した場合に変化後の経過時間を計測する時間計測部を備え、
前記変換制御部が、前記経過時間が予め定められた値を超えたことが前記時間計測部により検知された場合に、前記変換部による前記変換の実行／非実行を切り替える、
請求項４に記載の放送信号変換装置。
【発明の詳細な説明】
【技術分野】
【０００１】
本発明は、放送信号を入力して変換を行う放送信号変換装置に関するものであり、特に変換後の放送信号の出力状況を、放送を視聴する視聴者の状態に応じて変更可能な放送信号変換装置に関する。
【背景技術】
【０００２】
今日、放送波を受信して映像や音声等を出力する放送受信装置として、テレビ装置やラジオ装置等が広く普及している。放送には、衛星を利用したＣＳ（Communication Satellite）デジタル放送やＢＳ（Broadcast Satellite）デジタル／アナログ放送、地上波デジタル／アナログ放送等がある。
【０００３】
地上波テレビ放送は、地上アナログ放送が２０１１年に停波され、デジタル放送へ移行されることが決定している。デジタル放送は２００３年より開始されているが、ハイビジョン放送等の高画質番組を放送可能である。また、地上アナログ放送と同じサイマル放送の番組を視聴できる他、データ放送等の双方向番組も提供されている。
【０００４】
このような中、テレビ等の大型放送受信装置は消費電力低減のための取り組みが推進されている。例えば、テレビの消費電力を低減するために、テレビの近くに視聴者が居るか否かを赤外線センサで検知し、視聴者がいないと判断した場合にテレビの電源を自動的にオフする節電テレビ等が実用化されている。
【０００５】
上記に関連して特許文献１には、ビデオカッセトデッキの待機状態において、ＲＦ（Radio Frequency）モジュレータの消費電力を０とすることができる信号切替回路が開示されている。この信号切替回路は、アンテナ入力とテレビ出力との接続を開閉する第１のスイッチ回路と、アンテナ入力とチューナ出力との接続を開閉する第２のスイッチ回路と、モジュレータ入力とテレビ出力との接続を開閉する第３のスイッチ回路とを備えている。
【０００６】
第１のスイッチ回路は、電力を消費しないときには接続を閉じる回路であり、第２のスイッチ回路及び第３のスイッチ回路は、電力を消費しないときには接続を開く回路である。このため、電力を消費しない状態において、アンテナ入力に導かれたＲＦ信号は、減衰することなくテレビ出力に送出される。これにより、待機状態におけるＲＦモジュレータの消費電力を０にすることができる。
【先行技術文献】
【特許文献】
【０００７】
【特許文献１】特開平１１−３０８５３６号公報
【発明の概要】
【発明が解決しようとする課題】
【０００８】
しかしながら、上記のような消費電力低減機能を備えていない放送受信装置を所有しているユーザは、この機能を使用しようとした場合、放送受信装置を買い替える必要があった。このため、買い替えの設備投資費が発生するという問題があった。
【０００９】
また、放送受信装置を販売する店舗では、例えばテレビ売り場のように、複数台の放送受信装置が稼働状態で陳列されている状況も考えられる。このような状況においては、視聴者がいない状態においても、常に電源がオンされているのが通常である。従って消費電力の低減が求められるが、個々の放送受信装置に必ずしも消費電力低減機能が備わっているとは限らない。仮に備わってしたとしても、店員は各放送受信装置に対して個別に消費電力設定を行わねばならず、手間がかかるという問題があった。
【００１０】
本発明は、上記の問題を鑑みてなされたものであり、アンテナと放送受信装置との中間に接続されて使用される放送信号変換装置であって、放送受信装置の自己発光型のモニタやスピーカが消費する電力の低減を図ることが可能な放送信号変換装置を提供することにある。
【課題を解決するための手段】
【００１１】
上記の目的を達成するために本発明の放送信号変換装置は、放送信号を入力する信号入力部と、放送信号を出力する信号出力部と、前記信号入力部から前記信号出力部に対して放送信号を伝送する伝送路上に設けられ、前記伝送路における放送信号の通過／遮断を切り替える切替部と、移動体の検知を行う移動体検知装置を接続する接続部と、前記移動体検知装置により移動体が検知されたことを示す移動体検知信号を、前記接続部を用いて前記移動体検知装置から受け付ける移動体検知部と、前記移動体検知信号を前記移動体検知部が受け付けていない状態において、前記伝送路における放送信号を遮断するよう前記切替部を制御する切替制御部とを備えることを特徴とする。
【００１２】
この構成によると、本発明の放送信号変換装置は、信号を入力する信号入力部と、信号を出力する信号出力部とを備える。また、信号入力部から信号出力部に対して信号を伝送する伝送路上に設けられた部材として、伝送路における信号の通過／遮断を切り替える切替部を備える。また、移動体の検知を行う移動体検知装置を接続する接続部を備える。また、移動体検知装置により移動体検知信号を受け付ける移動体検知部を備える。また、移動体検知信号を受け付けていない状態において、伝送路における信号を遮断するよう切替部を制御する切替制御部を備えている。これにより、信号出力部に接続される放送受信装置の受信状態を、移動体の検知状況に応じて切り替えることができる。
【００１３】
また上記の目的を達成するために本発明の放送信号変換装置は、前記移動体検知部による前記移動体検知信号の受信状態が変化した場合に変化後の経過時間を計測する時間計測部を備え、前記切替制御部が、前記経過時間が予め定められた値を超えたことが前記時間計測部により検知された場合に、前記伝送路における放送信号の通過／遮断を切り替えるよう前記切替部を制御する。
【００１４】
この構成によると、本発明の放送信号変換装置は、移動体検知信号の受信状態が変化した場合に、変化後の経過時間を計測する時間計測部を備えている。また切替制御部は、経過時間が所定時間を超えたことが時間計測部により検知された場合に、伝送路における信号の通過／遮断を切り替えるよう切替部を制御する。これにより、移動体の検知状態が頻繁に変化する状況において、必要性の低い切り替え処理が発生するのを回避できる。
【００１５】
また上記の目的を達成するために本発明の放送信号変換装置は、前記信号入力部が、前記放送信号変換装置に接続されるアンテナよりＲＦ（Radio Frequency）信号を入力し、前記信号出力部が、前記放送信号変換装置に接続される放送受信装置へＲＦ信号を出力し、前記切替部が、前記伝送路におけるＲＦ信号の通過／遮断を切り替える、前記信号入力部が、前記放送信号変換装置に接続されるアンテナよりＲＦ（Radio Frequency）信号を入力し、前記信号出力部が、前記放送信号変換装置に接続される放送受信装置へＲＦ信号を出力し、前記切替部が、前記伝送路におけるＲＦ信号の通過／遮断を切り替える。
【００１６】
この構成によると、信号入力部は、放送信号変換装置に接続されるアンテナよりＲＦ信号を入力する。また信号出力部は、放送信号変換装置に接続される放送受信装置へＲＦ信号を出力する。また切替部は、伝送路におけるＲＦ信号の通過／遮断を切り替える。
【００１７】
また上記の目的を達成するために本発明の放送信号変換装置は、前記信号入力部より入力されるＲＦ信号を復調して映像／音声信号を生成する復調部と、映像／音声信号を変調してＲＦ信号を生成する変調部と、前記復調部より入力される映像／音声信号から映像／音声データを生成するデコード処理、及び映像／音声データから映像／音声信号を生成して前記変調部へ出力するエンコード処理を行う変換部と、前記移動体検知信号を前記移動体検知部が受け付けていない状態において、前記復調部より入力される映像／音声信号から生成した映像／音声データを予め定められた映像／音声データに変換し、変換後の映像／音声データから前記映像／音声信号を生成して前記変調部へ出力するよう前記変換部を制御する変換制御部とを備える。
【００１８】
この構成によると、本発明の放送信号変換装置は、信号入力部より入力されるＲＦ信号を復調して映像／音声信号を生成する復調部を備える。また、映像／音声信号を変調してＲＦ信号を生成する変調部を備える。また、復調部より入力される映像／音声信号から映像／音声データを生成するデコード処理と、映像／音声データから映像／音声信号を生成して変調部へ出力するエンコード処理とを行う変換部を備える。また、移動体検知信号を受け付けていない状態において、映像／音声データを所定の映像／音声データに変換し、変換後の映像／音声データから前記映像／音声信号を生成して変調部へ出力するよう変換部を制御する、変換制御部を備える。これにより、信号出力部に接続される放送受信装置へ出力する映像／音声データを、移動体の検知状況に応じて変更することができる。
【００１９】
また上記の目的を達成するために本発明の放送信号変換装置は、前記変換制御部が、前記移動体検知信号を前記移動体検知部が受け付けていない状態において、前記復調部より入力される映像／音声信号から生成した映像／音声データを黒画、無音の映像／音声データに変換するよう前記変換部を制御する。
【００２０】
この構成によると、変換制御部は、移動体検知信号を受け付けていない状態において、映像／音声データを黒画、無音の映像／音声データに変換するよう変換部を制御する。これにより、信号出力部に接続される放送受信装置に黒画を表示するとともに、音声の出力停止を行うことができる。
【００２１】
また上記の目的を達成するために本発明の放送信号変換装置は、前記変換部が、前記復調部より入力される映像／音声信号からＭＰＥＧ（Moving Picture Experts Group）方式のＴＳ（Transport Stream）パケットを取得し、前記変換制御部が、前記移動体検知信号を前記移動体検知部が受け付けていない状態において、前記ＴＳパケットに含まれる映像／音声データを黒画、無音の映像／音声データに変換するよう前記変換部を制御する。
【００２２】
この構成によると、変換部は、復調部より入力される映像／音声信号からＭＰＥＧ方式のＴＳパケットを取得する。また変換制御部は、移動体検知信号を受け付けていない状態において、ＴＳパケットに含まれる映像／音声データを黒画、無音の映像／音声データに変換するよう変換部を制御する。
【００２３】
また上記の目的を達成するために本発明の放送信号変換装置は、前記移動体検知部による前記移動体検知信号の受信状態が変化した場合に変化後の経過時間を計測する時間計測部を備え、前記変換制御部が、前記経過時間が予め定められた値を超えたことが前記時間計測部により検知された場合に、前記変換部による前記変換の実行／非実行を切り替える。
【００２４】
この構成によると、本発明の放送信号変換装置は、移動体検知部による移動体検知信号の受信状態が変化した場合に、変化後の経過時間を計測する時間計測部を備えている。また変換制御部は、経過時間が所定時間を超えたことが時間計測部により検知された場合に、変換部による変換の実行／非実行を切り替える。これにより、移動体の検知状態が頻繁に変化する状況において、必要性の低い変換処理が発生するのを回避できる。
【発明の効果】
【００２５】
本発明によれば、視聴者等の移動体が放送受信装置の近傍に存在しない場合に、放送受信装置に対するＲＦ信号を無信号とする。又は、映像信号及び音声信号を黒画、無音に変換して放送受信装置に与える。これによりユーザは、消費電力低減機能を備えた放送受信装置への買い替えを行うことなく、消費電力の低減を図ることができる。
【００２６】
また本発明によれば、複数台の放送受信装置を稼働状態で陳列している施設、例えば店舗等において、複数台の放送受信装置が消費する電力を一括して管理、低減することが可能である。また、各放送受信装置に対して個別に消費電力設定を行う必要がなく、利便性の向上を図ることができる。
【図面の簡単な説明】
【００２７】
【図１】本発明の第一の実施形態に係る放送信号変換装置の構成を示すブロック図である。
【図２】本発明の第一の実施形態に係る切替制御処理を示す処理フローである。
【図３】本発明の第二の実施形態に係る放送信号変換装置の構成を示すブロック図である。
【図４】本発明の第二の実施形態に係る変換前データを示す模式図である。
【図５】本発明の第二の実施形態に係る変換後データを示す模式図である。
【図６】本発明の第二の実施形態に係るデータ変換処理を示す処理フローである。
【発明を実施するための形態】
【００２８】
以下に本発明の一実施形態を、図面を参照しながら説明する。なお、ここで示す実施形態は一例であり、本発明はここに示す実施形態に限定されるものではない。
[実施の形態１]
〈１−１．放送信号変換装置の構成について〉
【００２９】
図１は、本発明の第一の実施形態に係る放送信号変換装置１の内部構成を示すブロック図である。放送信号変換装置１は少なくとも、システムコントローラ１０、ミュート回路２０（＝切替部）、ＲＦ入力端子３１（＝信号入力部）、ＲＦ出力端子３２（＝信号出力部）、及び外部接続端子３３（＝接続部）を含むように構成されている。
【００３０】
システムコントローラ１０は、放送信号変換装置１の各部材の駆動を制御することにより、ＲＦ信号の入出力処理や、ＲＦ信号の変換処理等を統括制御するためのものである。システムコントローラ１０は例えば、複数のマイクロプロセッサから構成されている。
【００３１】
またシステムコントローラ１０は、システムコントローラ１０が備える演算処理装置上で所定のプログラムを実行することにより実現される機能部として、移動体検出部１１、時間計測部１２、及び切替制御部１３を備えている。なお、各機能部の詳細については後述する。
【００３２】
ミュート回路２０は、ＲＦ入力端子３１から入力されるＲＦ信号を、ＲＦ出力端子３２へ出力するか否かを切り替えるための回路である。ミュート回路２０は、システムコントローラ１０から出力される制御信号により、ＲＦ信号の出力状態を切り替える。ミュート回路２０は例えば、複数のトランジスタにより構成されている。
【００３３】
ＲＦ入力端子３１は、アンテナ１１０よりＲＦ信号を入力する。ＲＦ出力端子３２は、ミュート回路２０が出力するＲＦ信号を外部装置、例えば分配機１３０へ出力する。分配機１３０には、複数台のデジタルテレビ１４１（＝放送受信装置）及びアナログテレビ１４２（＝放送受信装置）が接続されている。分配機１３０はこれらのテレビ装置に対して、入力したＲＦ信号を分配して出力する。
【００３４】
外部接続端子３３は、放送信号変換装置１の外部に存在する装置を接続するためのインタフェースである。本実施形態では、赤外線センサ１２０（＝移動体検知装置）を接続するのに用いられる。赤外線センサ１２０は、デジタルテレビ１４１及びアナログテレビ１４２の近傍に存在する移動体を検知するための検知装置である。
【００３５】
〈１−２．機能部の構成について〉
ここで、本発明の第一の実施形態に係る放送信号変換装置１が備える機能部の構成を説明する。図１に示すように、本実施形態の放送信号変換装置１は、システムコントローラ１０が所定のプログラムを実行することにより実現される機能部として、移動体検知部１１、時間計測部１２、及び切替制御部１３を備えている。
【００３６】
移動体検知部１１は、外部接続端子３３を介して、赤外線センサ１２０と通信を行う。そして赤外線センサ１２０より、移動体検知信号の入力を受け付ける。なお移動体検知信号は、テレビの視聴者等の移動体が赤外線により検知された場合に、赤外線センサ１２０より出力される。
【００３７】
時間計測部１２は、移動体検知部１１が受け付ける移動体検知信号の状態変化が発生した場合に、変化後の経過時間の計測を行う。具体的には例えば、移動体検知信号が入力されている状態（以下、「ＯＮ状態」という）から入力されていない状態（以下、「ＯＦＦ状態」という）に変わった場合に、計測を開始する。また、移動体検知信号がＯＮ状態となった場合に、計測を停止する。
【００３８】
切替制御部１３は、移動体検知信号がＯＦＦ状態に変化した時点で、ミュート回路２０に制御信号を与えるのを開始する。また、時間計測部１２が計測する経過時間が所定時間を超えた場合に、ミュート回路２０に対して制御信号を与えるのを停止する。つまり、ＯＮ状態に変化してから所定時間が経過した時点で、ミュート回路２０に制御信号を与えるのを停止する。
【００３９】
制御信号を受信している間、ミュート回路２０はＲＦ信号の出力を停止するよう、回路の切り替えを行う。この状態において制御信号を受信しなくなると、ミュート回路２０は再びＲＦ信号の出力を開始するよう、回路の切り替えを行う。
〈１−３．切替制御処理について〉
【００４０】
ここで、本発明の第一の実施形態に係る放送信号変換装置１が実施する切替制御処理について、図２のフロー図を用いながら説明する。
【００４１】
図２に示す処理フローは、放送信号変換装置１の電源が駆動している状態において、任意のタイミングで開始することが可能である。本処理の開始後、時間計測部１２はステップＳ１１０において、時間計測用のタイマのリセット及び停止を行う。なおタイマは、例えば物理的な回路により構成される形態でもよいし、所定のアプリケーションにより構成される形態でもよい。
【００４２】
次に移動体検知部１１はステップＳ１２０において、赤外線センサ１２０より入力される移動体検知信号の状態が、ＯＮ状態であるか否かを判定する。ＯＮ状態ではないと判定された場合、切替制御部１３はステップＳ１２５において、ミュート回路２０に対する制御信号の出力を停止する。そして再びステップＳ１１０へ移行する。
【００４３】
移動体検知信号の状態がＯＮ状態でないと判定された場合、移動体検知部１１はステップＳ１３０において、入力信号の状態がＯＮ状態からＯＦＦ状態へ状態変化したことが過去の所定時間内に検知されていたか否かを判定する。
【００４４】
検知されていた場合、時間計測部１２はステップＳ１３５において、タイマによる経過時間の計測を開始した後、ステップＳ１４０へ移行する。検知されていない場合、そのままステップＳ１４０へ移行する。
【００４５】
次に時間計測部１２はステップＳ１４０において、タイマが開始されてから所定時間、例えば五分が経過したか否かを判定する。所定時間を超過していない場合、再びステップＳ１２０へ移行する。所定時間を超過している場合、切替制御部１３はステップＳ１５０において、ミュート回路２０に対する制御信号の出力を開始する。そして再びステップＳ１２０へ移行する。
【００４６】
なお以上の一連の処理は、例えば放送信号変換装置１の電源が停止される等により、動作不能となるまで継続して行う。
【００４７】
以上に説明した本実施形態によれば、放送波がデジタル放送用かアナログ放送用かに関わりなく、放送受信装置の近傍に視聴者が存在するか否かに応じて、放送受信装置に対するＲＦ信号の出力制御を行うことが可能である。また、視聴者を検知してから所定時間経過後に制御信号の切り替えを行うため、視聴者が頻繁に移動する状況等において、効率のよい切り替えを行うことができる。
【００４８】
また本実施形態によれば、放送信号変換装置１に接続される放送受信装置がデジタルテレビ等のデジタル出力装置である場合に、ＲＦ信号が無信号になることにより映像の表示及び音声の出力が停止されるため、自己発光型のモニタ及びスピーカが消費する電力の低減を図ることができる。
【００４９】
次に、本発明の第二の実施形態を、図面を参照しながら説明する。なお、実施の形態１と同様の部材については、同一の符号を付加することにより説明を省略するものとする。
[実施の形態２]
〈２−１．放送信号変換装置の構成について〉
【００５０】
図３は、本発明の第二の実施形態に係る放送信号変換装置１の内部構成を示すブロック図である。本実施形態の放送信号変換装置１は、デジタル放送用のＲＦ信号の変換処理を行う。このため、実施の形態１のミュート回路２０に代わり、チューナ／ＯＦＤＭ（Orthogonal frequency division multiplex）復調部４１（＝復調部）、ＴＳ（Transport Stream）デコード／ＴＳ再多重処理部４２（＝変換部）、ＯＦＤＭ／ＲＦ変調部４３（＝変調部）、及び混合器４４を含むように構成されている。
【００５１】
チューナ／ＯＦＤＭ復調部４１は、アンテナ１１０より入力されるＲＦ信号の高周波処理及び復調を行う。復調により得られた複数のチャンネルの放送信号は、ＴＳデコード／ＴＳ再多重処理部４２に与えられる。例えば図３に示す例では、ｃｈ１〜ｃｈ１２の、１２チャンネル分の放送信号が復調される。なおこれらのチャンネルは、ＵＨＦ１３ｃｈ〜ＵＨＦ６２ｃｈの中で、チャンネルスキャンにより受信できた物理チャンネルを示している。本実施形態では、最大１２チャンネル分の物理チャンネルを、仮想的なチャンネルであるｃｈ１〜ｃｈ１２に登録可能としている。
【００５２】
ＴＳデコード／ＴＳ再多重処理部４２は、各チャンネルの放送信号からＴＳパケットの復号を行う。そしてＴＳパケットの中から、ＭＰＥＧデータを含むパケットの検出を行う。またＴＳデコード／ＴＳ再多重処理部４２は、後述する変換制御部１４からの指示に基づいて、映像／音声パケットに含まれるデータの入れ替えと、ＴＳの再多重を行う。
【００５３】
ＯＦＤＭ／ＲＦ変調部４３は、再多重された各チャンネルのＴＳを入力し、同一の周波数帯へ再変調する。混合器４４は、ＯＦＤＭ／ＲＦ変調部４３により生成された変調信号を混合し、一つのＲＦ信号を生成する。
【００５４】
〈２−２．機能部の構成について〉
ここで、本発明の第二の実施形態に係る放送信号変換装置１が備える機能部の構成を説明する。図３に示すように、本実施形態の放送信号変換装置１は、実施の形態１の切替制御部１３に代わり、変換制御部１４を備えている。
【００５５】
変換制御部１４は、移動体検知信号がＯＮ状態に変化した時点で、ＴＳデコード／ＴＳ再多重処理部４２に制御信号を与えるのを停止する。また、時間計測部１２が計測する経過時間が所定時間を超えた場合に、ＴＳデコード／ＴＳ再多重処理部４２に対して制御信号を与えるのを開始する。つまり、ＯＦＦ状態に変化してから所定時間が経過した時点で、ＴＳデコード／ＴＳ再多重処理部４２に制御信号を与えるのを開始する。
【００５６】
制御信号を受信している間、ＴＳデコード／ＴＳ再多重処理部４２は、映像／音声パケットのデータ部を無画、無音のデータと入れ替える。この状態において制御信号を受信しなくなると、ＴＳデコード／ＴＳ再多重処理部４２は、通常のＴＳデコード／ＴＳ再多重処理を行う。
【００５７】
或いは、制御信号を受信しなくなった場合、ＴＳデコード／ＴＳ再多重処理部４２は処理を停止し、チューナ／ＯＦＤＭ復調部４１から入力される信号を、そのままＯＦＤＭ／ＲＦ変調部４３へ出力する形態でもよい。
〈２−３．変換制御処理について〉
【００５８】
一部を除いて実施の形態１と同内容であるため、詳細な説明は省略する。実施の形態１の図２と異なる点としては、実施の形態１では切替制御部１３がミュート回路２０に対して制御信号を与えていたが、本実施形態では変換制御部１４がチューナ／ＯＦＤＭ復調部４１に対して制御信号を与える。制御信号が与えられている場合、データ変換処理が実施される。制御信号が与えられていない場合、データ変換処理は実施されない。なお、データ変換処理の詳細については後述する。
【００５９】
〈２−４．データ構造について〉
ここで、本発明の第二の実施形態に係る放送信号変換装置１が実施するデータ変換処理の変換前データ及び変換後データの構造について、図４及び図５の模式図を用いながら説明する。
【００６０】
図４は、変換前のデータ、つまり受信したＲＦ信号から生成されたＴＳパケットの内容を示す模式図である。なお、図中の括弧内の数字は、巡回カウンターを示している。
【００６１】
ＴＳデコード／ＴＳ再多重処理部４２に入力されるＴＳは、映像データ、音声データ、及びその他の付加データが、ＴＳパケットと呼ばれる１８８バイト単位で多重化されている。ＴＳデコード／ＴＳ再多重処理部４２は、ＴＳパケットのヘッダ情報内のＰＩＤ（Packet ID＝パケット識別子）を参照することにより、ＴＳパケットの種類を判別する。
【００６２】
ＴＳパケットには、ＰＡＴ等のように管理情報を記録するためのパケットと、映像データや音声データを記録するためのパケットとが存在する。映像データ用のＴＳパケット（以下、「映像パケット」という）や音声データ用のＴＳパケット（以下、「音声パケット」という）のＰＩＤは、固定値ではなくＰＭＴ（Program Map Table）に間接的に記載されている。
【００６３】
またＰＭＴのＰＩＤは、ＰＡＴ（Program Association Table）に間接的に記載されている。このため、受信したＴＳの全映像パケット及び全音声パケットのＰＩＤ情報を認識するためには、ＰＡＴ及びＰＭＴの事前取得が必要となる。
【００６４】
変換制御部１４は、図２に示す処理フローに基づき、ＴＳデコード／ＴＳ再多重処理部４２に対し、映像パケット及び音声パケットの変換処理を指示する制御信号を与える。この制御信号を受けたＴＳデコード／ＴＳ再多重処理部４２は、予めメモリ（不図示）の所定データ領域に保存されている黒画、無音のＭＰＥＧデータを読み出す。そして分割されたＴＳパケットの内容を、この黒画、無音のデータと入れ替える。
【００６５】
この結果、ＴＳパケットのデータ構造が、図５に示す状態となる。図５は、変換後のＴＳパケットの内容を示す模式図である。図５の例では、図４の映像パケットＶｉｄｅｏ１（１）が削除され、代わりに黒画データが含まれる映像パケットＶｉｄｅｏ１Ｎ（１）が、ＰＩＤ＝０ｘ０１０１のパケットとして挿入されている。
【００６６】
同様に音声パケットについても、Ａｕｄｉｏ１（１）が削除され、代わりに無音データが含まれる音声パケットＡｕｄｉｏ１Ｎ（１）が、ＰＩＤ＝０ｘ０１１１のパケットとして挿入されている。
【００６７】
なお、ＴＳデコード／ＴＳ再多重処理部４２により映像パケット又は音声パケットのＰＩＤを検出した場合、データの入れ替え時にはデータサイズの違いが発生する。ただし、黒画、無音のＭＰＥＧデータの方が通常はデータサイズが小さいため、入れ替え時の余剰領域にはＮＵＬＬパケットを設定するものとする。
〈２−５．データ変換処理について〉
【００６８】
ここで、本発明の第二の実施形態に係る放送信号変換装置１が実施するデータ変換処理について、図６のフロー図を用いながら説明する。
【００６９】
図６に示す処理フローは、放送信号変換装置１の電源が駆動している状態において、変換制御部１４からＴＳデコード／ＴＳ再多重処理部４２に対する制御信号の送信が開始された時点で開始される。また、制御信号の送信が停止された時点で終了される。
【００７０】
本処理の開始後、変換制御部１４はステップＳ２１０において、ＴＳパケットに含まれるＰＡＴを取得するよう、ＴＳデコード／ＴＳ再多重処理部４２に指示する。そしてステップＳ２２０において、ＰＡＴの取得に成功したか否かにより、処理の分岐を行う。
【００７１】
ＰＡＴの取得に失敗した場合、再びステップＳ２１０へ移行する。ＰＡＴの取得に成功した場合、変換制御部１４はステップＳ２３０において、ＰＡＴに記載されているＰＭＴを取得するよう、ＴＳデコード／ＴＳ再多重処理部４２に指示する。そしてステップＳ２４０において、ＰＭＴの取得に成功したか否かにより、処理の分岐を行う。
【００７２】
ＰＭＴの取得に失敗した場合、再びステップＳ２３０へ移行する。ＰＭＴの取得に成功した場合、変換制御部１４はステップＳ２５０において、ＰＭＴに記載されているＰＩＤ、つまり映像パケットのＰＩＤと音声パケットのＰＩＤとを取得するよう、ＴＳデコード／ＴＳ再多重処理部４２に指示する。
【００７３】
次に変換制御部１４はステップＳ２６０において、映像パケットのＰＩＤ取得に成功したか否かを判定する。失敗した場合、後述するステップＳ２６５へ移行する。成功した場合、変換制御部１４はステップＳ２７０において、取得したＰＩＤの映像パケットを削除するよう、ＴＳデコード／ＴＳ再多重処理部４２に指示する。
【００７４】
次に変換制御部１４はステップＳ２８０において、黒画のデータを含む映像パケットであり、且つ上記で削除した映像パケットと同一のＰＩＤを持つ映像パケットを生成する。そして生成した映像パケットをＴＳに挿入した後、ステップＳ２９０へ移行する。
【００７５】
ステップＳ２６０に戻って説明を行うと、ステップＳ２６０において映像パケットのＰＩＤ取得に失敗した場合、変換制御部１４はステップＳ２６５において、音声パケットのＰＩＤ取得に成功したか否かを判定する。失敗した場合、後述するステップＳ２９０へ移行する。成功した場合、変換制御部１４はステップＳ２７５において、取得したＰＩＤの音声パケットを削除するよう、ＴＳデコード／ＴＳ再多重処理部４２に指示する。
【００７６】
次に変換制御部１４はステップＳ２８５において、無音のデータを含む音声パケットであり、且つ上記で削除した音声パケットと同一のＰＩＤを持つ音声パケットを生成する。そして生成した音声パケットをＴＳに挿入した後、ステップＳ２９０へ移行する。
【００７７】
次に変換制御部１４はステップＳ２９０において、ＴＳに含まれるＰＡＴの更新を検知したか否かを判定する。ＰＡＴの更新を検知した場合、再びステップＳ２１０へ移行する。ＰＡＴの更新を検知していない場合、変換制御部１４はステップＳ３００において、ＴＳに含まれるＰＭＴの更新を検知したか否かを判定する。
【００７８】
ＰＭＴの更新を検知した場合、再びステップＳ２３０へ移行する。ＰＭＴの更新を検知していない場合、ステップＳ２５０へ移行し、継続して映像パケット又は音声パケットの変換処理を行う。
【００７９】
以上に説明した本実施形態によれば、放送受信装置の近傍に視聴者が存在するか否かに応じて、放送受信装置が出力する映像及び音声を黒画、無音とすることができる。これにより、例えばプラズマテレビや有機ＥＬ等の自己発光型テレビ等のにおいて通常の映像、つまり色調のある映像を表示する場合よりも、消費電力の低減を図ることができる。
【００８０】
また本実施形態によれば、放送信号変換装置１に接続される放送受信装置が無信号状態となることがないため、「受信できません」等のエラーメッセージや、無信号のための青画が表示される等の弊害を回避できる。
［その他の実施の形態］
【００８１】
以上、好ましい実施の形態及び実施例を挙げて本発明を説明したが、本発明は必ずしも上記実施の形態に限定されるものではなく、その技術的思想の範囲内において様々に変形して実施することができる。
【００８２】
従って本発明は、以下の形態にも適用可能である。
【００８３】
（Ａ）上記実施形態では、本発明の放送信号変換処理に関わる各種機能部が、マイクロプロセッサ等の演算処理装置上で所定のプログラムを実行することにより実現されているが、各種機能部が複数の回路により実現される形態でもよい。
【００８４】
（Ｂ）上記実施形態では、放送信号変換装置１が入出力する信号として、有線により伝達されるＲＦ信号を例に説明を行っているが、これ以外の信号を入出力する形態でもよい。例えば、映像データ及び音声データを含む無線信号を入出力する形態でもよい。
【００８５】
（Ｃ）上記実施形態では、ＲＦ信号の出力の通過／遮断を切り替える部材としてミュート回路２０を例に説明を行っているが、これ以外の部材により切り替えを行う形態でもよい。例えば、システムコントローラ１０からの制御信号によりスイッチのＯＮ／ＯＦＦを行うスイッチング回路を用いて、ＲＦ信号の出力状態を切り替える形態でもよい。
【００８６】
（Ｄ）上記実施形態では、テレビの視聴者を検知するための移動体検知装置として赤外線センサ１２０を例に説明を行っているが、これ以外の装置を用いて視聴者を検知する形態でもよい。例えば、照度センサ、気流センサ、熱センサ等を用いる形態でもよい。また、これらのセンサが放送信号変換装置１と同一の筐体に含まれる形態でもよい。
【００８７】
（Ｅ）上記の実施の形態２では、デジタル放送用のＲＦ信号においてデータ変換を行う例について説明したが、アナログ放送用のＲＦ信号に含まれる映像データ及び音声データを黒画、無音に変換する形態でもよい。この場合、ＲＦ入力端子３１の後段にＮＴＳＣデコーダ及びＮＴＳＣエンコーダを設ける。そして入力したＲＦ信号をＮＴＳＣデコーダでデコードし、生成した映像／音声信号の信号レベルを０に低減する。さらにレベル低減後の映像／音声信号をＮＴＳＣエンコーダでエンコードした後、ＲＦ出力端子から出力する。これにより、出力先の放送受信装置がアナログテレビ等のアナログ装置である場合において、無信号によるホワイトノイズ等が発生するのを回避することができる。
【００８８】
（Ｆ）上記実施形態では、放送信号変換装置１に接続するデジタルテレビ１４１及びアナログテレビ１４２の装置構成については特に限定していないが、例えばＣＲＴ、液晶テレビ、プラズマテレビ、有機ＥＬテレビ等を用いることが可能である。また、テレビ装置以外の放送受信装置を放送信号変換装置１に接続する形態でもよい。例えば、ビデオデッキやＨＤＤレコーダ等を接続する形態でもよい。
【００８９】
（Ｇ）上記実施形態では、視聴者等の移動体が検知されなくなった場合に、ＴＳデコード／ＴＳ再多重処理部４２が黒画の映像データを映像パケットに含める処理を行っているが、これ以外の映像データを映像パケットに含める形態でもよい。例えば、「放送受信を停止しました」等の文字列映像を生成して映像パケットに含める形態でもよい。
【符号の説明】
【００９０】
１        放送信号変換装置
１０      システムコントローラ
１１      移動体検知部
１２      時間計測部
１３      切替制御部
１４      変換制御部
２０      ミュート回路（切替部）
３１      ＲＦ入力端子（信号入力部）
３２      ＲＦ出力端子（信号出力部）
３３      外部接続端子（接続部）
４１      チューナ／ＯＦＤＭ復調部（復調部）
４２      ＴＳデコード／ＴＳ再多重処理部（変換部）
４３      ＯＦＤＭ／ＲＦ変調部（変調部）
４４      混合器
１１０    アンテナ
１２０    赤外線センサ（移動体検知装置）
１４１    デジタルテレビ（放送受信装置）
１４２    アナログテレビ（放送受信装置）
【図１】
2011049946.tif 000003
【図２】
2011049946.tif 000004
【図３】
2011049946.tif 000005
【図４】
2011049946.tif 000006
【図５】
2011049946.tif 000007
【図６】
2011049946.tif 000008